(57)【要約】【課題】カメラ部や無線部等から取得した画像を多数の人が同時に見ることができ、表示画像がよく見え、画像に迫力が感じられるようにする。【解決手段】キーマトリクス部３は、操作者の操作によりキー情報を出力する。カメラ部４は、入射する光景に対応する第１の画像データを出力する。無線部２は、外部から無線により画像データを受けこの画像データを出力する。制御部６は、キーマトリクス部３が出力するキー情報とカメラ部４が出力する画像データと無線部２が出力する画像データとを画像信号にそれぞれ変換して出力する。表示部５は、制御部６が出力する画像信号を受けて画像を表示し、変換部７は、制御部６が出力する画像信号をテレビ用の画像信号であるアナログコンポジット信号に変換して出力する。【選択図】      図１
2004320680.tif 000002
【特許請求の範囲】
【請求項１】
操作者の操作によりキー情報を出力するキーマトリクス部と、
入射する光景に対応する第１の画像データを出力するカメラ部と、
外部から無線により第２の画像データを受けこの第２の画像データを出力する無線部と、
前記キーマトリクス部が出力する前記キー情報と前記カメラ部が出力する前記第１の画像データと前記無線部が出力する前記第２の画像データとを画像信号にそれぞれ変換して出力する制御部と、
前記制御部がそれぞれ出力する前記画像信号を受けて画像を表示する表示部と、
前記制御部が出力する前記画像信号をテレビ用の画像信号であるアナログコンポジット信号に変換して出力する変換部と、
を備えたことを特徴とする携帯電話機。
【請求項２】
前記制御部は、
前記カメラ部が出力する前記第１の画像データを受け前記画像信号として前記表示部に出力するともに、操作者の操作により対象物を撮影する場合に撮影する画像を格納するために前記第１の画像データを出力する画像処理部と、
前記画像処理部が出力する前記第１の画像データを格納するメモリと、
前記メモリに格納した前記第１の画像データと前記無線部が出力する前記第２の画像データと前記キーマトリクス部が出力する前記キー情報とを前記画像信号に変換して前記表示部に出力するＣＰＵと、
を備えたことを特徴とする請求項１記載の携帯電話機。
【請求項３】
操作者の操作によりキー情報を出力するキーマトリクス部と、
入射する光景に対応する第１の画像データを出力するカメラ部と、
外部から無線により第２の画像データを受けこの第２の画像データを出力する無線部と、
前記キーマトリクス部が出力する前記キー情報と前記カメラ部が出力する前記第１の画像データと前記無線部が出力する前記第２の画像データとを画像信号にそれぞれ変換して出力する制御部と、
前記制御部がそれぞれ出力する前記画像信号を受けて画像を表示する表示部と、
前記制御部が出力する前記画像信号を外部に出力する出力端子と、
を有する携帯電話機と、
前記携帯電話機が出力する前記画像信号を受けテレビ用の画像信号であるアナログコンポジット信号に変換して出力するアダプタと、
を備えたことを特徴とする携帯電話機システム。
【請求項４】
操作者の操作によりキー情報を出力するキーマトリクス部と、
入射する光景に対応する第１の画像データを出力するカメラ部と、
外部から無線により第２の画像データを受けこの第２の画像データを出力する無線部と、
前記キーマトリクス部が出力する前記キー情報と前記カメラ部が出力する前記第１の画像データと前記無線部が出力する前記第２の画像データとを画像信号にそれぞれ変換して出力する制御部と、
前記制御部がそれぞれ出力する前記画像信号を受けて画像を表示する表示部と、
前記制御部が出力する前記画像信号をテレビ用の画像信号であるアナログコンポジット信号に変換して出力する変換部と、
前記変換部が変換した前記アナログコンポジット信号を変調し光信号として送信する送信部と、
を有する携帯電話機と、
前記携帯電話機が送信する前記光信号を受信し復調して前記アナログコンポジット信号にして出力するアダプタと、
を備えたことを特徴とする携帯電話機システム。
【請求項５】
前記携帯電話機の有する前記送信部は、
前記変換部が変換した前記アナログコンポジット信号を変調し変調信号を出力する変調回路と、
前記変調回路が出力する前記変調信号を光信号として送信する送信素子と、
を備え、
前記アダプタは、
前記携帯電話機が送信する前記光信号を受信し前記アナログコンポジット信号の前記変調信号を出力する受信素子と、
前記受信素子が出力する前記変調信号を復調し前記アナログコンポジット信号にして出力する復調回路と、
を備えたことを特徴とする請求項４記載の携帯電話機システム。
【請求項６】
前記送信素子が送信し前記受信素子が受信する光信号は赤外線の信号であることを特徴とする請求項５記載の携帯電話機システム。
【請求項７】
前記制御部は、
前記カメラ部が出力する前記第１の画像データを受け前記画像信号として前記表示部に出力するともに、操作者の操作により対象物を撮影する場合に撮影する画像を格納するために前記第１の画像データを出力する画像処理部と、
前記画像処理部が出力する前記第１の画像データを格納するメモリと、
前記メモリに格納した前記第１の画像データと前記無線部が出力する前記第２の画像データと前記キーマトリクス部が出力する前記キー情報とを前記画像信号に変換して前記表示部に出力するＣＰＵと、
を備えたことを特徴とする請求項３、４、５及び６記載の携帯電話機システム。
【発明の詳細な説明】
【０００１】
【発明の属する技術分野】
本発明は携帯電話機及び携帯電話機システムに関し、特に表示部に表示する画像をＴＶ等の外部の表示装置に表示できるようにした携帯電話機及び携帯電話機システムに関する。
【０００２】
【従来の技術】
従来の携帯電話機は、画像データを携帯電話機の表示部に表示して操作者に表示内容を提示するようにしている。
【０００３】
この従来の携帯電話機は、図４で示すように、操作者の操作によりキー情報を出力するキーマトリクス部３と、入射する光景に対応する画像データを出力するカメラ部４と、外部から無線により画像データを受けこの画像データを出力する無線部２と、キーマトリクス部３が出力するキー情報とカメラ部４が出力する画像データと無線部２が出力する画像データとを画像信号にそれぞれ変換して出力する制御部６と、制御部６が出力する画像信号を受けて画像を表示する表示部５とにより構成する。
【０００４】
そして、この携帯電話機４０は、制御部６により、キーマトリクス部３が出力するキー情報とカメラ部４と無線部２とが出力する画像データとを画像信号に変換し、表示部５によりこの画像信号を受けてこの画像信号に対応する画像を表示している。
【０００５】
また、電子カメラにおいては、撮像信号をエンコーダを介してテレビモニタに出力するための信号に変換しテレビ出力端子より外部に出力するようにしたものがある（例えば、特許文献１参照）。
【０００６】
【特許文献１】
特開２００１−２１１３８０号公報（請求項１、図１、段落「０１０４」）
【０００７】
【発明が解決しようとする課題】
上述した従来の携帯電話機は、制御部により、キーマトリクス部が出力するキー情報と、カメラ部と無線部とが出力する画像データとを画像信号に変換し、表示部によりこの画像信号に対応する画像を表示しているため、画像データを携帯電話機の表示部で表示した画像によりのみしか見ることができない。一方、携帯電話機の表示部は小さい。このため、カメラ部や無線部等から取得した画像などを多数の人で見るときには全員が同時に見ることができない、また、表示画像が小さいので、よく見えない、文字がはっきりわからない、画像に迫力が感じられないといった問題がある。
【０００８】
本発明の目的はこのような従来の欠点を除去するため、カメラ部や無線部等から取得した画像などを多数の人が同時に見ることができ、表示画像がよく見え、画像に迫力が感じられる携帯電話機及び携帯電話機システムを提供することにある。
【０００９】
【課題を解決するための手段】
本発明の携帯電話機は、操作者の操作によりキー情報を出力するキーマトリクス部と、
入射する光景に対応する第１の画像データを出力するカメラ部と、
外部から無線により第２の画像データを受けこの第２の画像データを出力する無線部と、
前記キーマトリクス部が出力する前記キー情報と前記カメラ部が出力する前記第１の画像データと前記無線部が出力する前記第２の画像データとを画像信号にそれぞれ変換して出力する制御部と、
前記制御部がそれぞれ出力する前記画像信号を受けて画像を表示する表示部と、
前記制御部が出力する前記画像信号をテレビ用の画像信号であるアナログコンポジット信号に変換して出力する変換部と、
を備えて構成されている。
【００１０】
また、本発明の携帯電話機の前記制御部は、
前記カメラ部が出力する前記第１の画像データを受け前記画像信号として前記表示部に出力するともに、操作者の操作により対象物を撮影する場合に撮影する画像を格納するために前記第１の画像データを出力する画像処理部と、
前記画像処理部が出力する前記第１の画像データを格納するメモリと、
前記メモリに格納した前記第１の画像データと前記無線部が出力する前記第２の画像データと前記キーマトリクス部が出力する前記キー情報とを前記画像信号に変換して前記表示部に出力するＣＰＵと、
を備えて構成されている。
【００１１】
本発明の第１の携帯電話機システムは、操作者の操作によりキー情報を出力するキーマトリクス部と、
入射する光景に対応する第１の画像データを出力するカメラ部と、
外部から無線により第２の画像データを受けこの第２の画像データを出力する無線部と、
前記キーマトリクス部が出力する前記キー情報と前記カメラ部が出力する前記第１の画像データと前記無線部が出力する前記第２の画像データとを画像信号にそれぞれ変換して出力する制御部と、
前記制御部がそれぞれ出力する前記画像信号を受けて画像を表示する表示部と、
前記制御部が出力する前記画像信号を外部に出力する出力端子と、
を有する携帯電話機と、
前記携帯電話機が出力する前記画像信号を受けテレビ用の画像信号であるアナログコンポジット信号に変換して出力するアダプタと、
を備えて構成されている。
【００１２】
本発明の第２の携帯電話機システムは、操作者の操作によりキー情報を出力するキーマトリクス部と、
入射する光景に対応する第１の画像データを出力するカメラ部と、
外部から無線により第２の画像データを受けこの第２の画像データを出力する無線部と、
前記キーマトリクス部が出力する前記キー情報と前記カメラ部が出力する前記第１の画像データと前記無線部が出力する前記第２の画像データとを画像信号にそれぞれ変換して出力する制御部と、
前記制御部がそれぞれ出力する前記画像信号を受けて画像を表示する表示部と、
前記制御部が出力する前記画像信号をテレビ用の画像信号であるアナログコンポジット信号に変換して出力する変換部と、
前記変換部が変換した前記アナログコンポジット信号を変調し光信号として送信する送信部と、
を有する携帯電話機と、
前記携帯電話機が送信する前記光信号を受信し復調して前記アナログコンポジット信号にして出力するアダプタと、
を備えて構成されている。
【００１３】
また、本発明の第２の携帯電話機システムの前記携帯電話機の有する前記送信部は、
前記変換部が変換した前記アナログコンポジット信号を変調し変調信号を出力する変調回路と、
前記変調回路が出力する前記変調信号を光信号として送信する送信素子と、
を備え、
前記アダプタは、
前記携帯電話機が送信する前記光信号を受信し前記アナログコンポジット信号の前記変調信号を出力する受信素子と、
前記受信素子が出力する前記変調信号を復調し前記アナログコンポジット信号にして出力する復調回路と、
を備えて構成されている。
【００１４】
【発明の実施の形態】
次に、本発明の実施の形態について面を参照して説明する。
【００１５】
図１は、本発明の携帯電話機の一つの実施の形態を示すブロック図である。
【００１６】
図１に示す本実施の形態は、キーマトリクス部３と、カメラ部４と、無線部２と、制御部６と、ＬＣＤ等の表示部５と、変換部７とにより構成する。
【００１７】
キーマトリクス部３は、操作者の操作によりキー情報を出力する。カメラ部４は、入射する光景に対応する第１の画像データを出力する。無線部２は、外部から無線により第２の画像データを受けこの第２の画像データを出力する。制御部６は、キーマトリクス部３が出力するキー情報とカメラ部４が出力する第１の画像データと無線部２が出力する第２の画像データとを画像信号にそれぞれ変換して出力する。表示部５は、制御部６がそれぞれ出力する画像信号を受けて画像を表示する。変換部７は、制御部６が出力する画像信号をテレビ用の画像信号であるアナログコンポジット信号に変換して出力する。
【００１８】
制御部６は、画像処理部８と、メモリ９と、ＣＰＵ１０とにより構成する。
画像処理部８は、カメラ部４が出力する第１の画像データを受け画像信号として表示部５に出力するともに、操作者の操作により対象物を撮影する場合に撮影する画像を格納するために第１の画像データをメモリ９に出力する。メモリ９は、画像処理部８が出力する第１の画像データを格納する。ＣＰＵ１０は、メモリ９に格納した第１の画像データと無線部２が出力する第２の画像データとキーマトリクス部３が出力するキー情報とを画像信号に変換して表示部５に出力する。
【００１９】
次に、本実施の形態の携帯電話機の動作を参照して詳細に説明する。
【００２０】
図１において、キーマトリクス部３は、操作者の操作によりキー情報を出力する。カメラ部４は、入射する光景に対応する第１の画像データを出力する。無線部２は、外部から無線により第２の画像データを受けこの第２の画像データを出力する。制御部６の画像処理部８は、カメラ部４が出力する第１の画像データを受け画像信号として表示部５に出力する。このとき、操作者の操作により対象物を撮影する場合には撮影する画像を格納するためにこの第１の画像データをメモリ９に出力する。制御部６のメモリ９は、画像処理部８が出力する第１の画像データを格納する。制御部６のＣＰＵ１０は、メモリ９に格納した第１の画像データと無線部２が出力する第２の画像データとキーマトリクス部３が出力するキー情報とを画像信号に変換して表示部５に出力する。表示部５は、制御部６がそれぞれ出力する画像信号を受けて画像を表示する。変換部７は、制御部６が出力する画像信号をテレビ用の画像信号であるアナログコンポジット信号に変換して出力する。このアナログコンポジット信号は出力端子１１を介して携帯電話機１の外部に出力される。
【００２１】
そして、ケーブル等によりこの携帯電話機１の出力端子１１とテレビジョン（ＴＶ）とを接続することにより、変換部７が出力したアナログコンポジット信号をテレビジョン（ＴＶ）のモニタに表示することができる。
【００２２】
図２は、本発明の携帯電話機システムの第１の実施の形態を示すブロック図である。
【００２３】
図２に示す本実施の形態は、キーマトリクス部３と、カメラ部４と、無線部２と、制御部６と、表示部５と、出力端子１１とを有する携帯電話機２０と、アダプタ２１とにより構成する。
【００２４】
携帯電話機２０において、キーマトリクス部３は、操作者の操作によりキー情報を出力する。カメラ部４は、入射する光景に対応する第１の画像データを出力する。無線部２は、外部から無線により第２の画像データを受けこの第２の画像データを出力する。制御部６は、キーマトリクス部３が出力するキー情報とカメラ部４が出力する第１の画像データと無線部２が出力する第２の画像データとを画像信号にそれぞれ変換して出力する。表示部５は、制御部６がそれぞれ出力する画像信号を受けて画像を表示する。出力端子１１は、制御部６が出力する画像信号を外部に出力する。
【００２５】
携帯電話機２０の制御部６は、画像処理部８と、メモリ９と、ＣＰＵ１０とにより構成する。
画像処理部８は、カメラ部４が出力する第１の画像データを受け画像信号として表示部５に出力するともに、操作者の操作により対象物を撮影する場合に撮影する画像を格納するために第１の画像データをメモリ９に出力する。メモリ９は、画像処理部８が出力する第１の画像データを格納する。ＣＰＵ１０は、メモリ９に格納した第１の画像データと無線部２が出力する第２の画像データとキーマトリクス部３が出力するキー情報とを画像信号に変換して表示部５に出力する。
【００２６】
アダプタ２１は、携帯電話機２０が出力する画像信号を受けテレビ用の画像信号であるアナログコンポジット信号に変換して出力する。
【００２７】
次に、本実施の形態の携帯電話機システムの動作を参照して詳細に説明する。
【００２８】
図２において、携帯電話機２０のキーマトリクス部３、カメラ部４、無線部２、画像処理部８、メモリ９、ＣＰＵ１０及び表示部５は、図１で示す携帯電話機１の動作と同じである。出力端子１１は、制御部６が出力する画像信号を外部に出力する。アダプタ２１は、携帯電話機２０の出力端子１１とケーブル等により接続し、携帯電話機２０が出力端子１１より出力する画像信号を受けテレビ用の画像信号であるアナログコンポジット信号に変換して出力端子２２より出力する。
【００２９】
そして、ケーブル等によりアダプタ２１の出力端子２２とテレビジョン（ＴＶ）とを接続することにより、アダプタ２１が出力したアナログコンポジット信号をテレビジョン（ＴＶ）のモニタに表示することができる。
【００３０】
図３は、本発明の携帯電話機システムの第２の実施の形態を示すブロック図である。
【００３１】
図３に示す本実施の形態は、キーマトリクス部３と、カメラ部４と、無線部２と、制御部６と、表示部５と、変換部７と、送信部１２とを有する携帯電話機３０と、アダプタ３１とにより構成する。
【００３２】
携帯電話機３０において、キーマトリクス部３は、操作者の操作によりキー情報を出力する。カメラ部４は、入射する光景に対応する第１の画像データを出力する。無線部２は、外部から無線により第２の画像データを受けこの第２の画像データを出力する。制御部６は、キーマトリクス部３が出力するキー情報とカメラ部４が出力する第１の画像データと無線部２が出力する第２の画像データとを画像信号にそれぞれ変換して出力する。表示部５は、制御部６がそれぞれ出力する画像信号を受けて画像を表示する。変換部７は、制御部６が出力する画像信号をテレビ用の画像信号であるアナログコンポジット信号に変換して出力する。送信部１２は変換部７が変換したアナログコンポジット信号を変調し光信号として送信する。
【００３３】
送信部１２は、変換部７が変換したアナログコンポジット信号を変調し変調信号を出力する変調回路１３と、変調回路１３が出力する変調信号を光信号として送信する送信素子１４とにより構成する。
【００３４】
携帯電話機３０の制御部６は、画像処理部８と、メモリ９と、ＣＰＵ１０とにより構成し、図２で示す本発明の携帯電話機システムの第１の実施の形態と同じである。
【００３５】
アダプタ３１は、携帯電話機３０が送信する光信号を受信回路３２により受信し復調してアナログコンポジット信号にして出力端子３５より出力する。
【００３６】
このアダプタ３１の受信回路３２は、携帯電話機３０が送信する光信号を受信しアナログコンポジット信号の変調信号を出力する受信素子３３と、受信素子３３が出力する変調信号を復調しアナログコンポジット信号にして出力する復調回路３４とにより構成する。
【００３７】
次に、本実施の形態の携帯電話機システムの動作を参照して詳細に説明する。
【００３８】
図３において、携帯電話機３０のキーマトリクス部３、カメラ部４、無線部２、制御部６、表示部５及び変換部７は、図１で示す携帯電話機１の動作と同じである。送信部１２は、変調回路１３により、変換部７が変換したアナログコンポジット信号を変調し変調信号を出力し、ＬＥＤ等の送信素子１４により、変調回路１３が出力する変調信号を赤外線の光信号として送信する。
【００３９】
アダプタ３１は、受信素子３３により、携帯電話機３０が送信する赤外線の光信号を受信してアナログコンポジット信号の変調信号を出力し、復調回路３４により、受信素子３３が出力する変調信号を復調しアナログコンポジット信号にして出力端子３５より出力する。
【００４０】
そして、ケーブル等によりアダプタ３１の出力端子３５とテレビジョン（ＴＶ）とを接続することにより、アダプタ３１が出力したアナログコンポジット信号をテレビジョン（ＴＶ）のモニタに表示することができる。
【００４１】
【発明の効果】
以上説明したように、本発明の携帯電話機によれば、表示部により、制御部が出力する画像信号を受けて画像を表示し、変換部により、制御部が出力する画像信号をテレビ用の画像信号であるアナログコンポジット信号に変換して出力するため、ケーブル等により携帯電話機とテレビジョン（ＴＶ）とを接続することにより、携帯電話機が出力したアナログコンポジット信号をテレビジョン（ＴＶ）のモニタに表示することができるので、カメラ部や無線部等から取得した画像などを多数の人が同時に見ることができ、表示画像がよく見え、画像に迫力が感じられるようになる。
【００４２】
また、以上説明したように、本発明の第１の携帯電話機システムによれば、携帯電話機において、表示部により、制御部が出力する画像信号を受けて画像を表示し、出力端子より、制御部が出力する画像信号を外部に出力し、アダプタにより、携帯電話機が出力する画像信号を受けテレビ用の画像信号であるアナログコンポジット信号に変換して出力するため、ケーブル等によりアダプタとテレビジョン（ＴＶ）とを接続することにより、携帯電話機が出力したアナログコンポジット信号をテレビジョン（ＴＶ）のモニタに表示することができるので、カメラ部や無線部等から取得した画像などを多数の人が同時に見ることができ、表示画像がよく見え、画像に迫力が感じられるようになる。
【００４３】
更に、本発明の第２の携帯電話機システムによれば、携帯電話機において、表示部により、制御部が出力する画像信号を受けて画像を表示し、変換部により、制御部が出力する画像信号をテレビ用の画像信号であるアナログコンポジット信号に変換して出力し、送信部により、変換部が変換したアナログコンポジット信号を変調し光信号として送信し、アダプタにより、携帯電話機が送信する光信号を受信し復調してアナログコンポジット信号にして出力する。このため、ケーブル等によりアダプタとテレビジョン（ＴＶ）とを接続することにより、携帯電話機が出力したアナログコンポジット信号をテレビジョン（ＴＶ）のモニタに表示することができるので、カメラ部や無線部等から取得した画像などを多数の人が同時に見ることができ、表示画像がよく見え、画像に迫力が感じられるようになる。また、このアダプタを携帯電話機の卓上ホルダに内蔵し、携帯電話機を卓上ホルダに装着したときに、携帯電話機の送信素子と卓上ホルダの受信素子間でのデータ送受ができる構造にすることによって、より使い易くなる。更に、携帯電話機とＴＶをケーブルとの線で接続しなくても良いので、より使い易くなる。
【図面の簡単な説明】
【図１】本発明の携帯電話機の一つの実施の形態を示すブロック図である。
【図２】本発明の携帯電話機システムの第１の実施の形態を示すブロック図である。
【図３】本発明の携帯電話機システムの第２の実施の形態を示すブロック図である。
【図４】従来の携帯電話機を示すブロック図である。
【符号の説明】
１    携帯電話機
２    無線部
３    キーマトリクス部
４    カメラ部
５    表示部
６    制御部
７    変換部
８    画像処理部
９    メモリ
１０    ＣＰＵ
１１    出力端子
１２    送信部
１３    変調回路
１４    送信素子
２０    携帯電話機
２１    アダプタ
２２    出力端子
３０    携帯電話機
３１    アダプタ
３２    受信回路
３３    受信素子
３４    復調回路
３５    出力端子
４０    携帯電話機
【図１】
2004320680.tif 000003
【図２】
2004320680.tif 000004
【図３】
2004320680.tif 000005
【図４】
2004320680.tif 000006